(57)【要約】【課題】重量バランスを改善し、作業性の向上を図る。【解決手段】絶縁ヤットコ１００の絶縁操作棒１１０の後端に重心位置変更部１４０を取り付けて、絶縁操作棒１１０上における重心位置を後端側に移動させる。絶縁ヤットコ１００の重量バランスが改善され、作業者が感じる重量が低減され、作業性の向上が図られる。重心位置変更部１４０を、絶縁操作棒１１０の後端側に取り付けられる第１の筒状部１４１Ａと、この第１の筒状部１４１Ａに移動自在に嵌合され、後端側に所定の重さのウエイト１４３が取り付けられた第２の筒状部１４１Ｂとを有する構成とする。第１の筒状部１４１Ａに対して第２の筒状部１４１Ｂをスライドさせ、ウエイト１４３の位置を、作業者個々、あるいは、例えば把持部で把持する対象物の重さに応じて調整できる。【選択図】図６
2009050054.tif 000002
【特許請求の範囲】
【請求項１】
絶縁操作棒の先端に間接活線作業具を設けた状態で使用される間接活線工具であって、
上記絶縁操作棒の後端側に、該絶縁操作棒上における重心位置を後端側に移動させる重心位置変更部を備える
ことを特徴とする間接活線工具。
【請求項２】
上記重心位置変更部は、
所定の重さのウエイトと、
上記ウエイトの位置を、上記絶縁操作棒の長手方向に調整するウエイト位置調整機構とを有する
ことを特徴とする請求項１に記載の間接活線工具。
【請求項３】
上記重心位置変更部は、
上記絶縁操作棒の後端側に設けられた第１の筒状部と、
上記第１の筒状部に移動自在に嵌合され、後端側に所定の重さのウエイトが取り付けられた第２の筒状部と、
上記第２の筒状部を上記第１の筒状部に対して所定の位置で固定する固定機構とを有する
ことを特徴とする請求項１に記載の間接活線工具。
【請求項４】
上記重心位置変更部は、
上記絶縁操作棒の後端に着脱自在に取り付けられている
ことを特徴とする請求項１に記載の間接活線工具。
【請求項５】
上記絶縁操作棒の後端側に上記間接活線作業具を操作する操作部が設けられており、
上記操作部を上記絶縁操作棒の長手方向にスライドさせて該操作部の上記絶縁操作棒に対する取り付け位置を変更する取り付け位置変更機構をさらに備える
ことを特徴とする請求項１に記載の間接活線工具。
【請求項６】
絶縁操作棒の先端に間接活線作業具を設けた状態で使用される間接活線工具の上記絶縁操作棒の後端に取り付けられ、上記絶縁操作棒上における重心位置を後端側に移動させる重心位置変更装置であって、
所定の重さのウエイトと、
上記ウエイトの位置を、上記絶縁操作棒の長手方向に調整するウエイト位置調整機構とを備える
ことを特徴とする重心位置変更装置。
【発明の詳細な説明】
【技術分野】
【０００１】
この発明は、高圧の架空配電線等の間接活線作業において使用される間接活線工具および重心位置変更装置に関する。
【背景技術】
【０００２】
従来から高圧の架空配電線等の間接活線作業を安全かつ効率よく行うため、絶縁操作棒の先端に把持具等の間接活線作業具を装備した間接活線工具が使用されている（例えば、特許文献１参照）。
【０００３】
図１４は、従来の間接活線工具の一例としての絶縁ヤットコ２００の構成例を示している。この絶縁ヤットコ２００は、絶縁操作棒２１０と、把持具２２０と、操作部２３０とを備えている。把持具２２０は、被把持物（対象物）を把持するためのものであり、絶縁操作棒２１０の先端に設けられている。操作部２３０は、把持具２２０を操作するためのものであり、絶縁操作棒２１０の後端側に取り付けられている。
【０００４】
絶縁操作棒２１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒２１０の中間部には、感電事故を防ぐために、把持してよい部分とそれ以外の部分との境界を明確にするための安全限界つば２１１が嵌合固定されている。把持具２２０が取り付けられた先端から、当該安全限界つば２１１までの長さは、６００mm（安全限界距離）以上とされている。また、降雨時対策として、絶縁操作棒２１０の、先端と安全限界つば２１１の固定位置との中間には、水切りつば２１２が嵌合固定されている。安全限界つば２１１および水切りつば２１２は、軟質性の合成ゴムにより形成されている。
【０００５】
また、この絶縁操作棒２１０の後端には、足し棒を連結するためのアルミニウム合金で形成された筒状の連結金具２１９が固定されている。この連結金具２１９には、正面側と裏面側とに一対のＬ字状のガイド溝２４１ａ，２４１ｂが形成されている。このガイド溝２４１ａ，２４１ｂの端部には係止凹部２４２ａ，２４２ｂが形成されている。
【０００６】
把持具２２０は、間接活線作業において、被把持物（対象物）を把持するための部分であり、例えば、アルミニウム合金で形成されている。把持具２２０は、固定把持片２２１と、この固定把持片２２１に対して先端部が接離可能に設けられた回動把持片２２２とから構成されている。固定把持片２２１は、絶縁操作棒２１０の先端に固定具２２３によって配置固定されている。また、回動把持片２２２は、その後端側部分が枢着ピン２２４を介して固定具２２３に回動（揺動）可能に固定されている。また、回動把持片２２２の後端部は、絶縁操作棒２１０とほぼ平行に設けられている連結棒２１３（リンク機構）の先端部に連結されている。この連結部は、図示しない連結ピンによって回動可能に連結されている。
【０００７】
連結棒２１３は、絶縁操作棒２１０と同様に、円筒状（パイプ状）の絶縁性部材により形成されている。この連結棒２１３の中間部には、水切りつば２１４が嵌合固定されている。この連結棒２１３の後端部は接続部材２１５を通じて操作部２３０に接続されている。この場合、接続部材２１５の、連結棒２１３に接続される側とは反対側の端部は、連結ピン２１８を介して、操作レバー２３１の突出部２３２に回動可能に連結されている。
【０００８】
操作部２３０は、操作レバー２３１を備えている。この操作レバー２３１は、アルミニウム合金により形成されている。この操作レバー２３１には上述した突出部２３２が一体的に形成されている。この操作レバー２３１の一端は、絶縁操作棒２１０の後端側に設けられた支持具２３３に、支持ピン２３４を介して回動（揺動）可能に固定されている。支持具２３３は、アルミニウム合金により形成されており、絶縁操作棒２１０が貫通した状態で、当該絶縁操作棒２１０にねじ止めされている。
【０００９】
図１４に示す絶縁ヤットコ２００においては、作業者が操作レバー２３１を握り込むことで、当該操作レバー２３１が矢印Ａ方向に回動し、連結棒２１３が矢印Ｂ方向に移動し、その結果、把持具２２０を構成する回動把持片２２２が矢印Ｃ方向に回動し、固定把持片２２１の先端と回動把持片２２２の先端とが接近して把持具２２０は閉じた状態となり、被把持部物（対象物）を把持できる。一方、操作レバー２３１を矢印Ａとは反対の方向に回動させると、連結棒２１３は矢印Ｂとは反対の方向に移動し、回動把持片２２２が矢印Ｃ方向とは反対の方向に回動し、把持具２２０は開いた状態となり、被把持物（対象物）を解放できる。
【特許文献１】特開２００７−４９８５２号公報
【発明の開示】
【発明が解決しようとする課題】
【００１０】
図１４に示すような絶縁ヤットコ２００を使用する作業は多岐にわたっている。絶縁ヤットコ２００の使用時には、作業者に、作業の力と保持の力が加わる。この場合、絶縁ヤットコ２００の先端側は重く、従って絶縁ヤットコ２００の重量バランスが悪く、作業者は重たく感じ、作業性の低下を招いている。
【００１１】
この発明の目的は、重量バランスを改善し、作業性の向上を図ることにある。
【課題を解決するための手段】
【００１２】
この発明の概念は、
絶縁操作棒の先端に間接活線作業具を設けた状態で使用される間接活線工具であって、
上記絶縁操作棒の後端側に、該絶縁操作棒上における重心位置を後端側に移動させる重心位置変更部を備える
ことを特徴とする間接活線工具にある。
【００１３】
この発明においては、重心位置変更部により、絶縁操作棒上における重心位置が後端側に移動される。そのため、間接活線工具の重量バランスが改善され、作業者が感じる重量が低減され、作業性の向上が図られる。
【００１４】
また、この発明において、例えば、重心位置変更部は、所定の重さのウエイトと、このウエイトの位置を絶縁操作棒の長手方向に調整するウエイト位置調整機構とを有するものとされてもよい。この場合、ウエイト位置調整機構によりウエイト位置を、作業者個々、あるいは、例えば把持部で把持する対象物の重さに応じて、最も軽く感じる位置に調整できる。なお、この場合、ウエイトを、異なる重さのウエイトに取り換え可能にしてもよい。
【００１５】
また、この発明において、例えば、重心位置変更部は、絶縁操作棒の後端側に設けられた第１の筒状部と、この第１の筒状部に移動自在に嵌合され、後端側に所定の重さのウエイトが取り付けられた第２の筒状部と、第２の筒状部を第１の筒状部に対して所定の位置で固定する固定機構とを有するものとされてもよい。この場合、作業者は、第１の筒状部に対して第２の筒状部をスライドさせて当該第２の筒状部の位置を動かすことができ、ウエイト位置を容易に調整できる。
【００１６】
また、この発明において、例えば、重心位置変更部は、絶縁操作棒の後端に着脱自在に取り付けられているものとされてもよい。この場合、絶縁操作棒の後端に、作業者個々、あるいは、例えば把持部で把持する対象物の重さに対応した重心位置変更部を取り付けて使用できる。また、この場合、重心位置変更部が不要である場合には、当該重心位置変更部を取り外し、間接活線工具の軽量化を図ることができる。
【００１７】
また、この発明において、例えば、絶縁操作棒の後端側に間接活線作業具を操作する操作部が設けられており、操作部を絶縁操作棒の長手方向にスライドさせてこの操作部の絶縁操作棒に対する取り付け位置を変更する取り付け位置変更機構をさらに備えるものとされてもよい。この場合、操作部の後端側への移動に伴って絶縁操作棒における作業者の握持位置が後端側にずれるが、重心位置変更部により絶縁操作棒上における重心位置が後端側に移動されるため、間接活線工具の重量バランスが改善され、作業者が感じる重量が低減され、作業性の向上が図られる。
【発明の効果】
【００１８】
この発明によれば、重量バランスを改善し、作業性の向上を図ることができる。
【発明を実施するための最良の形態】
【００１９】
以下、図面を参照しながら、この発明の実施の形態について説明する。図１は、実施の形態としての絶縁ヤットコ１００の構成例を示している。この絶縁ヤットコ１００は、絶縁操作棒１１０と、把持具１２０と、操作部１３０と、重心位置変更部１４０とを備えている。把持具１２０は、被把持物（対象物）を把持するためのものであり、絶縁操作棒１１０の先端に設けられている。操作部１３０は、把持具１２０を操作するためのものであり、絶縁操作棒１１０の後端側に設けられている。重心位置変更部１４０は、絶縁操作棒１１０上における重心を後端側に移動させるためのものであり、当該絶縁操作棒１１０の後端に取り付けられている。
【００２０】
絶縁操作棒１１０は、円筒状（パイプ状）の絶縁性部材により形成されている。絶縁性部材としては、エポキシ樹脂系強化プラスチック、ポリエステル樹脂系強化プラスチック等の、変形し難く、かつ絶縁性が低下しない絶縁性部材が用いられる。この絶縁操作棒１１０の中間部には、感電事故を防ぐために、把持してよい部分とそれ以外の部分との境界を明確にするための安全限界つば１１１が嵌合固定されている。把持具１２０が取り付けられた先端から、当該安全限界つば１１１までの長さは、６００mm（安全限界距離）以上とされている。また、降雨時対策として、絶縁操作棒１１０の、先端と安全限界つば１１１の固定位置との中間には、水切りつば１１２が嵌合固定されている。安全限界つば１１１および水切りつば１１２は、軟質性の合成ゴムにより形成されている。
【００２１】
また、この絶縁操作棒１１０の後端には、アルミニウム合金で形成された筒状の連結金具１１９が固定されている。重心位置変更部１４０は、この連結金具１１９を用いて、絶縁操作棒１１０の後端に取り付けられる。
【００２２】
把持具１２０は、間接活線作業において、被把持物（対象物）を把持するための部分であり、例えば、アルミニウム合金で形成されている。把持具１２０は、固定把持片１２１と、この固定把持片１２１に対して先端部が接離可能に設けられた回動把持片１２２とから構成されている。固定把持片１２１は、絶縁操作棒１１０の先端に固定具１２３によって配置固定されている。また、回動把持片１２２は、その後端側部分が枢着ピン１２４を介して固定具１２３に回動（揺動）可能に固定されている。また、回動把持片１２２の後端部は、絶縁操作棒１１０とほぼ平行に設けられている連結棒１１３（リンク機構）の先端部に連結されている。この連結部は、図示しない連結ピンによって回動可能に連結されている。
【００２３】
連結棒１１３は、絶縁操作棒１１０と同様に、円筒状（パイプ状）の絶縁性部材により形成されている。この連結棒１１３の中間部には、水切りつば１１４が嵌合固定されている。この連結棒１１３の後端部は接続部材１１５を通じて操作部１３０に接続されている。この場合、接続部材１１５の、連結棒１１３に接続される側とは反対側の端部は、連結ピン１１８を介して、操作レバー１３１の突出部１３２に回動可能に連結されている。
【００２４】
操作部１３０は、操作レバー１３１を備えている。この操作レバー１３１は、アルミニウム合金により形成されている。この操作レバー１３１には上述した突出部１３２が一体的に形成されている。この操作レバー１３１の一端は、絶縁操作棒１１０の後端側に設けられた支持具１３３に、支持ピン１３４を介して回動（揺動）可能に固定されている。支持具１３３は、アルミニウム合金により形成されており、絶縁操作棒１１０が貫通した状態で、当該絶縁操作棒１１０に取り付けられている。
【００２５】
重心位置変更部１４０は、例えば、アルミニウム合金で形成されている筒状部１４１の先端に連結金具１４２が固定され、その後端に所定の重さのウエイト１４３が固定された構成となっている。この重心位置変更部１４０は、連結金具１４２が、上述した絶縁操作棒１１０の後端に固定されている連結金具１１９に連結されることで、絶縁操作棒１１０の後端に取り付けられている。
【００２６】
ここで、重心位置変更部１４０の詳細構成について説明する。図２は重心位置変更部１４０の正面図である。この重心位置変更部１４０の筒状部１４１は、図３（ａ）に示す第１の筒状部１４１Ａと、この第１の筒状部１４１Ａに挿入（嵌合）される、図３（ｂ）に示す第２の筒状部１４１Ｂとからなっている。
【００２７】
第１の筒状部１４１Ａには、側面長手方向に、所定の間隔で、後述する第２の筒状部１４１Ｂの外側面に設けられているロックピン１５３が挿入される挿入穴１４５が形成されている。また、この第１の筒状部１４１Ａの内側面には、互いに対向する位置に、後述する第２の筒状部１４１Ｂの外側面に設けられている案内凸条１５４が嵌合される、長手方向に延びた案内溝１４６が形成されている。上述した連結金具１４２は、この第１の筒状部１４１Ａの先端に固定されている。なお、この連結金具１４２の前部には、半径方向に突出する一対の係止ピン１４７ａ，１４７ｂが設けられていると共に、その後部にロックナット１４８が螺装されている。
【００２８】
第２の筒状部１４１Ｂには、先端側の外側面に凹部１５１が形成され、当該凹部１５１にスプリング１５２がその一端が底面に接着された状態で配置されている。そして、このスプリング１５２の他端にロックピン１５３の基部が固定されている。
【００２９】
ここで、ロックピン１５３の頭部は、スプリング１５２により、図３（ｂ）に示すように第２の筒状部１４１Ｂの外側面から突出した状態となるように、付勢されている。この場合、スプリング１５２の付勢力に抗して、ロックピン１５３の頭部を押圧することで、当該ロックピン１５３の頭部が凹部１５１の内部に収容可能となっている。
【００３０】
また、第２の筒状部１４１Ｂの外側面には、互いに対向する位置に、上述した第１の筒状部１４１Ａの内側面に設けられている案内溝１４６に嵌合する、長手方向に延びた案内凸条１５４が形成されている。
【００３１】
上述したウエイト１４３は、この第２の筒状部１４１Ｂの後端に固定されている。例えば、図３（ｃ）に示すように、第２の筒状部１４１Ｂの後端の開口部に取り付け部材１５５が挿入されており、当該取り付け部材１５５のねじ穴（図示せず）にウエイト１４３のねじ部１４３ａが螺合されている。なお、このようにウエイト１４３の固定を螺合により行うので、重さの異なる他のウエイト１４３に容易に取り替えることができる。
【００３２】
図２は、第１の筒状部１４１Ａの内部に第２の筒状部１４１Ｂが挿入された状態を示している。この場合、第１の筒状部１４１Ａの内面に形成された案内溝１４６に、第２の筒状部１４１Ｂの外側面に形成された案内凸条１５４が嵌合された状態となる。なお、図２は、第２の筒状部１４１Ｂの外側面に設けられているロックピン１５３が、第１の筒状部１４１Ａの側面長手方向に設けられている挿入穴１４５に挿入されたロック状態を示している。図４（ａ）は図２のａ−ａ′線の断面図を示し、また、図４（ｂ）は図２のｂ−ｂ′線の断面図を示している。
【００３３】
このロック状態では、第１の筒状部１４１Ａに対して第２の筒状部１４１Ｂをスライドさせることができず、ウエイト１４３の位置が固定される。ウエイト１４３の位置を調整するために、第１の筒状部１４１Ａに対して第２の筒状部１４１Ｂをスライドさせる際には、スプリング１５２の付勢力に抗して、ロックピン１５３の頭部を押圧して、当該ロックピン１５３の頭部が凹部１５１の内部に収容された、ロック解除状態とすればよい。
【００３４】
第１の筒状部１４１Ａおよび第２の筒状部１４１Ｂは、ウエイト１４３の位置を調整するウエイト位置調整機構を構成している。また、第１の筒状部１４１Ａに形成された挿入穴１４５および第２の筒状部１４１Ｂの外側面に設けられているロックピン１５３は、第２の筒状部１４１Ｂを第１の筒状部１４１Ａに対して所定の位置で固定する固定機構を構成している。
【００３５】
図５は、絶縁操作棒１１０の後端に、重心位置変更部１４０を接続する際の手順を示している。なお、上述していないが、絶縁操作棒１１０の後端に固定されている連結金具１１９には、正面側と裏面側とに一対のＬ字状のガイド溝１６１ａ，１６１ｂが形成されている。このガイド溝１６１ａ，１６１ｂの端部には係止凹部１６２ａ，１６２ｂが形成されている。
【００３６】
まず、図５（ａ）に示すように、絶縁操作棒１１０の後端に取り付けられている連結金具１１９に、重心位置変更部２４０の先端に取り付けられた連結金具１４２の前部が挿入されていく。この場合、連結金具１４２の前部に設けられた係止ピン１４７ａ，１４７ｂが、連結金具１１９の案内溝１６１ａ，１６１ｂに案内されていく。なお、図５には、係止ピン１４７ｂに対応する部分については示されていない。
【００３７】
次に、図５（ｂ）に示すように、重心位置変更部１４０が回されて、係止ピン１４７ａ，１４７ｂが、係止凹部１６２ａ，１６２ｂにツイストロックされ、絶縁操作棒１１０の連結金具１１９に重心位置変更部１４０の連結金具１４２が連結される。この場合、図示しないが、連結金具１１９には弾発部材が内蔵されており、連結金具１１９に重心位置変更部１４０の連結金具１４２が挿入されるとき、当該連結金具１４２は押し込み方向とは反対の方向に付勢された状態となる。そのため、係止ピン１４７ａ，１４７ｂは、係止凹部１６２ａ，１６２ｂに、抜け止め状態に係止される。
【００３８】
次に、図５（ｃ）に示すように、連結金具１４２の後部に螺装されているロックナット１４８が締結され、絶縁操作棒１１０の後端に重心位置変更部１４０が強固に固定保持される。
【００３９】
なお、上述したように絶縁操作棒１１０の後端に取り付けられた重心位置変更部１４０は、上述の手順とは逆の手順により、取り外すことができる。すなわち、図１に示す絶縁ヤットコ１００においては、重心位置変更部１４０は、絶縁操作棒１１０の後端に、着脱自在に取り付けられていることになる。
【００４０】
図１に示す絶縁ヤットコ１００においては、作業者が操作レバー１３１を握り込むことで、当該操作レバー１３１が矢印Ａ方向に回動し、連結棒１１３が矢印Ｂ方向に移動し、その結果、把持具１２０を構成する回動把持片１２２が矢印Ｃ方向に回動し、固定把持片１２１の先端と回動把持片１２２の先端とが接近して把持具１２０は閉じた状態となり、被把持部物（対象物）を把持できる。一方、操作レバー１３１を矢印Ａとは反対の方向に回動させると、連結棒１１３は矢印Ｂとは反対の方向に移動し、回動把持片１２２が矢印Ｃ方向とは反対の方向に回動し、把持具１２０は開いた状態となり、被把持物（対象物）を解放できる。
【００４１】
また、図１に示す絶縁ヤットコ１００においては、重心位置変更部１４０の第１の筒状部１４１Ａに対して第２の筒状部１４１Ｂをスライドさせた場合、ウエイト１４３の位置が動いていく。図６（ａ）は、ウエイト１４３の位置が、絶縁操作棒１１０の後端に最も近い位置にある場合を示している。図６（ｂ）は、第１の筒状部１４１Ａから第２の筒状部１４１Ｂを引き出し、ウエイト１４３の位置を後方にずらした状態を示している。
【００４２】
以上説明したように、図１に示す絶縁ヤットコ１００においては、絶縁操作棒１１０の後端に重心位置変更部１４０を備えているものであり、当該重心位置変更部１４０により、絶縁操作棒１１０上における重心位置が後端側に移動される。そのため、当該絶縁ヤットコ１００の重量バランスが改善され、作業者が感じる重量を低減でき、作業性の向上を図ることができる。
【００４３】
また、図１に示す絶縁ヤットコ１００においては、絶縁操作棒１１０の後端に取り付けられた重心位置変更部１１０のウエイト１４３の位置を、絶縁操作棒１１０の長手方向に調整できるものであり、ウエイト１４３の位置を、作業者個々、あるいは、例えば把持部１２０で把持する対象物の重さに応じて、最も軽く感じる位置に調整でき、作業性のさらなる向上を図ることができる。
【００４４】
また、図１に示す絶縁ヤットコ１００においては、重心位置変更部１４０は、絶縁操作棒１１０の後端側に取り付けられる第１の筒状部１４１Ａと、この第１の筒状部１４１Ａに移動自在に嵌合され、後端側に所定の重さのウエイト１４３が取り付けられた第２の筒状部１４１Ｂとを有する構成とされている。そのため、作業者は、第１の筒状部１４１Ａに対して第２の筒状部１４１Ｂをスライドさせて当該第２の筒状部１４１Ｂの位置を動かすことができ、ウエイト１４３の位置を容易に調整できる。
【００４５】
また、図１に示す絶縁ヤットコ１００においては、絶縁操作棒１１０の後端に重心位置変更部１４０が着脱自在に取り付けられている。そのため、絶縁操作棒１１０の後端に、作業者個々、あるいは、例えば把持部１２０で把持する対象物の重さに対応した、例えば、重さのウエイト１４３を持つ、あるいは長さの筒状部１４１を持つ、重心位置変更部１４０を取り付けて使用できる。また、重心位置変更部１４０が不要である場合には、当該重心位置変更部１４０を取り外し、絶縁ヤットコ１００の軽量化を図ることができる。
【００４６】
なお、上述実施の形態においては、筒状部１４１が第１、第２の筒状部１４１Ａ，１４１Ｂで構成され、第１の筒状部１４１Ａに対して第２の筒状部１４１Ｂをスライドさせてウエイト１４３の位置を調整するようにした重心位置変更部１４０を示したが、ウエイト位置を調整する機構はこれに限定されるものではなく、例えば、以下のような重心位置変更部も考えられる。
【００４７】
図７は、上述の重心位置変更部１４０と同様に使用し得る重心位置変更部１４０Ａの構成例を示している。図７（ａ）は、重心位置変更部１４０Ａの正面図である。図７（ｂ）は、図７（ａ）のｃ−ｃ′線の断面図である。この図７において、図２と対応する部分には同一符号を付し、その詳細説明は省略する。
【００４８】
この重心位置変更部１４０Ａにおいては、筒状部１４１の内部に、例えば、鉄材からなる円柱状のウエイト１７１が、長手方向に移動可能に挿入されている。また、筒状部１４１の外周部にドーナッツ状のマグネット（永久磁石）１７２が配置されている。このマグネット１７２は、筒状部１４１の長手方向に摺動可能とされている。なお、筒状部１４１の後端には、ウエイト１７１が筒状部１４１の内部から抜け出ることを防止するために、キャップ１７３が取り付けられている。
【００４９】
図７（ａ），（ｂ）に示す重心位置変更部１４０Ａは、筒状部１４１の先端に固定されている連結金具１４２を用いて、図２に示す重心位置変更部１４０と同様に、絶縁操作棒１１０の後端に取り付けることができる。また、この重心位置変更部１４０Ａにおいては、作業者は、筒状部１４１の外周部に配置されているマグネット１７２を、矢印で示すように、筒状部１４１の長手方向に摺動させることで、当該マグネット１７２の磁力を利用してウエイト１７１の位置を任意に調整できる。
【００５０】
図８は、上述の重心位置変更部１４０と同様に使用し得る重心位置変更部１４０Ｂの構成例を示している。図８（ａ）は、重心位置変更部１４０Ｂの正面図である。図８（ｂ）は、図８（ａ）のｄ−ｄ′線の断面図である。この図８において、図２と対応する部分には同一符号を付し、その詳細説明は省略する。
【００５１】
この重心位置変更部１４０Ｂにおいては、筒状部１４１に、長手方向に延びたスリット１８１が形成されている。また、この重心位置変更部１４０Ｂにおいては、筒状部１４１の内部に、例えば円柱状のウエイト１８２が長手方向に移動可能に挿入されている。このウエイト１８２の側面にねじ部１８３が植立されている。このねじ部１８３の先端側は、上述のスリット１８１を通過して筒状部１４１の外側面に突出した状態とされている。そして、このねじ部１８３にナット１８４が螺合される。なお、筒状部１４１の後端には、ウエイト１８２が筒状部１４１の内部から抜け出ることを防止するために、キャップ１８５が取り付けられている。
【００５２】
図８（ａ），（ｂ）に示す重心位置変更部１４０Ｂは、筒状部１４１の先端に固定されている連結金具１４２を用いて、図２に示す重心位置変更部１４０と同様に、絶縁操作棒１１０の後端に取り付けることができる。また、この重心位置変更部１４０Ｂにおいては、作業者は、ナット１８４を緩めた状態で当該ナット１８４の位置を、矢印で示すように、筒状部１４１の長手方向に移動させることで、ウエイト１８２の位置を任意に調整できる。そして、ウエイト１８２の位置を調整した後、ナット１８４を締め付けることで、ウエイト１８２の位置が固定される。
【００５３】
次に、この発明の他の実施の形態について説明する。図９は、他の実施の形態としての絶縁ヤットコ１００Ａの構成例を示している。この絶縁ヤットコ１００Ａは、図１に示す絶縁ヤットコ１００と同様に、操作棒１１０と、把持具１２０と、操作部１３０と、重心位置変更部１４０とを備えている。この絶縁ヤットコ１００Ａにおいては、操作部１３０を絶縁操作棒１１０の長手方向にスライドさせて、当該操作部１３０の絶縁操作棒１１０に対する取り付け位置を変更できる。この図９において、図１と対応する部分には同一符号を付し、その詳細説明は省略する。
【００５４】
図９に示す絶縁ヤットコ１００Ａにおいては、操作部１３０を絶縁操作棒１１０の長手方向にスライドさせて、当該操作部１３０の絶縁操作棒１１０に対する取り付け位置を変更する取り付け位置変更機構が備えられている。
【００５５】
すなわち、上述したように、操作部１３０を構成する支持具１３３の内部を絶縁操作棒１１０が貫通した状態とされているが、当該支持具１３３は絶縁操作棒１１０の長手方向にスライド可能とされている。そして、支持具１３３は、所望の位置に移動した状態で、絶縁操作棒１１０に固定可能とされている。
【００５６】
そのため、絶縁操作棒１１０の側面長手方向に、所定の間隔で、後述する支持具１３３に設けられているロックピン７１の挿入穴６１が設けられている。また、この絶縁操作棒１１０の側面長手方向に、上述したロックピン７１の挿入穴６１をつなげるように、案内溝６２が形成されている。また、絶縁操作棒１１０の側面に、長手方向に延びる案内凸条６３が形成されている。
【００５７】
また、支持具１３３には、図１０に示すように、ロックピン７１が取り付けられていると共に、支持具１３３の絶縁操作棒１１０との接触面に、上述した案内凸条６３に嵌合する嵌合凹部７６が形成されている。なお、この図１０においては、図面の簡略化を図るため、支持具１３３の形状が直方体であるとして示している。
【００５８】
ロックピン７１は、先端が絶縁操作棒１１０の側面に当接するように常に付勢されている。すなわち、支持具１３３の側面に箱体７２が固定されている。ロックピン７１のピン部は、当該箱体７２の上面に設けられた穴７３および支持具１３３の側面に設けられた穴１３５を通じて、挿入された状態におかれる。このロックピン７１のピン部の中間位置には係止片７４が固定されており、当該係止片７４と箱体７２の上面との間に圧縮コイルバネ７５が配されている。このような構成によって、ロックピン７１には、圧縮コイルバネ７５により、先端が絶縁操作棒１１０の側面に当接するように常に付勢力が与えられる。
【００５９】
図１０（ａ）は、ロックピン７１の先端側が、絶縁操作棒１１０の側面に形成された挿入穴６１に挿入されている状態を示している。この状態では、支持具１３３、従って操作部１３０は、絶縁操作棒１１０の所定位置に、固定されている。これに対して、図１０（ｂ）は、圧縮コイルバネ７５のバネ力に抗してロックピン７１の頭部が引っ張られ、ロックピン７１の先端側が挿入穴６１から抜け出た状態を示している。この状態では、支持具１３３、従って操作部１３０は、絶縁操作棒１１０の長手方向にスライド可能であり、当該操作部１３０の絶縁操作棒１１０に対する取り付け位置の調整が可能となる。
【００６０】
このように、この実施の形態においては、操作部１３０の絶縁操作棒１１０に対する取り付け位置を変更できるが、把持具１２０と操作部１３０との間に配されている連結棒１１３は、操作部１３０の絶縁操作棒１１０に対する取り付け位置に応じて伸縮する伸縮機構を備えている。
【００６１】
すなわち、接続部材１１５の先端部には連結棒１１３と同様の絶縁性部材で形成された棒状の延長軸８１が接続されており、この延長軸８１は連結棒１１３に出し入れ自在に挿入されている。また、連結棒１１３にロックピン８２が取り付けられていると共に、上述した延長軸８１の側面長手方向に、所定の間隔、つまり上述した絶縁操作棒１１０の側面長手方向に形成された挿入穴６１の間隔とほぼ同じ間隔で、ロックピン８２の挿入穴８３が形成されている。また、この延長軸８１の側面長手方向に、上述したロックピン８２の挿入穴８３をつなげるように、案内溝８４が形成されている。
【００６２】
連結棒１１３へのロックピン８２の取り付けは、図１１に示すようになされている。すなわち、連結棒１１３の側面に箱体８５が固定されている。ロックピン８２のピン部は、当該箱体８５の上面に設けられた穴８６および連結棒１１３の側面に設けられた穴８７を通じて、挿入された状態におかれる。このロックピン８２のピン部の中間位置には係止片８８が固定されており、当該係止片８８と箱体８５の上面との間に圧縮コイルバネ８９が配されている。このような構成によって、ロックピン８２には、圧縮コイルバネ８９により、先端が延長軸８１の側面に当接するように常に付勢力が与えられる。
【００６３】
図１１（ａ）は、ロックピン８２の先端側が、延長軸８１の側面に形成された挿入穴８３に挿入されている状態を示している。この状態では、延長軸８１は、連結棒１１３の所定位置に固定されている。これに対して、図１１（ｂ）は、圧縮コイルバネ８９のバネ力に抗してロックピン８２の頭部が引っ張られ、ロックピン８２の先端側が挿入穴８３から抜け出た状態を示している。この状態では、延長軸８１は、連結棒１１３に出し入れが可能となり、操作部１３０の取り付け位置に応じた連結棒１１３の伸縮が可能となる。
【００６４】
図１２（ａ），（ｂ）は、操作部１３０の絶縁操作棒１１０に対する取り付け位置の変更例を示している。図１２(ａ)は、操作部１３０が最も先端側に取り付けられた状態を示している。この場合、延長軸８１の全体が連結棒１１３に挿入された状態に置かれる。図１２（ｂ）は、操作部１３０の取り付け位置が後端側の７個目の挿入穴６１に対応した位置に移動された状態を示している。この場合、連結棒１１３から延長軸８１が操作部１３０の移動量だけ引き出された状態に置かれる。
【００６５】
図９に示す絶縁ヤットコ１００Ａのその他は、図１に示す絶縁ヤットコ１００と同様に構成されている。この図９に示す絶縁ヤットコ１００Ａにおいては、操作部１３０の取り付け位置を絶縁操作棒１１０の後端側に移動して、作業範囲を広げることができる。この場合、操作部１３０の後端側への移動に伴って絶縁操作棒１１０における作業者の握持位置が後端側にずれる。しかし、絶縁操作棒１１０の後端に重心位置変更部１４０が取り付けられており、当該重心位置変更部１４０により絶縁操作棒１１０上における重心位置が後端側に移動されるため、絶縁ヤットコ１００Ａの重量バランスが改善され、作業者が感じる重量が低減され、作業性の向上が図られる。
【００６６】
なお、上述実施の形態においては、絶縁ヤットコ１００，１００Ａの絶縁操作棒１１０の後端に、重心位置変更部１４０を着脱自在に取り付けたものを示した。しかし、図１３に絶縁ヤットコ１００Ｂを示すように、絶縁操作棒１１０の後端側に、上述した重心位置変更部１４０と同様の重心位置変更部１４０Ｃを一体的に形成するようにしてもよい。
【００６７】
すなわち、絶縁操作棒１１０の後端側に、上述の重心位置変更部１４０における第１の筒状部１４１Ａと同様に、挿入穴１４５および案内溝１４６が形成される。なお、絶縁操作棒１１０の後端に固定されていた連結金具１１９は除かれる。重心位置変更部１４０Ｃは、上述した絶縁操作棒１１０の後端側に、上述の重心位置変更部１４０におけると同様の第２の筒状部１４１Ｂが挿入されたものとされる。
【００６８】
このように、絶縁操作棒１１０の後端側に重心位置変更部１４０Ｃが一体的に形成されたものにあっても、絶縁操作棒１１０の後端に重心位置変更部１４０を着脱自在に取り付けたものと同様の効果を得ることができる。
【００６９】
なお、上述実施の形態において、重心位置変更部１４０，１４０Ａ，１４０Ｂ，１４０Ｃはウエイト位置を調整できるものを示したが、当該ウエイト位置が固定である重心位置変更部が絶縁操作棒１１０の後端に取り付けられる構成も考えられる。
【００７０】
また、上述実施の形態においては、この発明を絶縁ヤットコに適用したものであるが、この発明は、共用操作棒など、その他の間接活線工具にも同様に適用できることは勿論である。
【産業上の利用可能性】
【００７１】
この発明は、重量バランスを改善し、作業性の向上を図ることができるものであり、絶縁ヤットコ等の間接活線工具に適用できる。
【図面の簡単な説明】
【００７２】
【図１】この発明の実施の形態としての絶縁ヤットコの構成例を示す正面図である。
【図２】重心位置変更部の構成例を示す正面図である。
【図３】重心位置変更部を構成する第１の筒状部および第２の筒状部を説明するための図である。
【図４】図２のａ−ａ′線およびｂ−ｂ′線の断面図である。
【図５】絶縁操作棒の後端に重心位置変更部を接続する際の手順を説明するための図である。
【図６】ウエイト位置の移動動作を説明するための図である。
【図７】重心位置変更部の他の構成例を示す正面図および断面図である。
【図８】重心位置変更部のさらに他の構成例を示す正面図および断面図である。
【図９】この発明の他の実施の形態としての絶縁ヤットコの構成例を示す正面図である。
【図１０】操作部を構成する支持具の絶縁操作棒に対する取り付け位置の構成例を示す断面図である。
【図１１】連結棒に対する延長軸の固定部の構成例を示す断面図である。
【図１２】操作部の絶縁操作棒に対する取り付け位置の変更例を示す図である。
【図１３】この発明のさらに他の実施の形態としての絶縁ヤットコの構成例を示す正面図である。
【図１４】従来の絶縁ヤットコの構成例を示す正面図である。
【符号の説明】
【００７３】
１００，１００Ａ，１００Ｂ・・・絶縁ヤットコ、１１０・・・絶縁操作棒、１１１・・・安全限界つば、１１２，１１４・・・水切りつば、１１３・・・連結棒、１１５・・・接続部材、１１８・・・連結ピン、１１９・・・連結金具、１２０・・・把持具、１２１・・・固定把持片、１２２・・・回動把持片、１２３・・・固定具、１３０・・・操作部、１３１・・・操作レバー、１３２・・・突出部、１３３・・・支持具、１３４・・・支持ピン、１４０，１４０Ａ，１４０Ｂ，１４０Ｃ・・・重心位置変更部、１４１・・・筒状部、１４１Ａ・・・第１の筒状部、１４１Ｂ・・・第２の筒状部、１４２・・・連結金具、１４３・・・ウエイト、１４３ａ・・・ねじ部、１４５・・・挿入穴、１４６・・・案内溝、１４７ａ，１４７ｂ・・・係止ピン、１４８・・・ロックナット、１５１・・・凹部、１５２・・・スプリング、１５３・・・ロックピン、１５４・・・案内凸条、１５５・・・取り付け部材、１６１ａ，１６１ｂ・・・ガイド溝、１６２ａ，１６２ｂ・・・係止凹部、１７１・・・ウエイト、１７２・・・マグネット、１８１・・・スリット、１８２・・・ウエイト、１８３・・・ねじ部、１８４・・・ナット
【図１】
2009050054.tif 000003
【図２】
2009050054.tif 000004
【図３】
2009050054.tif 000005
【図４】
2009050054.tif 000006
【図５】
2009050054.tif 000007
【図６】
2009050054.tif 000008
【図７】
2009050054.tif 000009
【図８】
2009050054.tif 000010
【図９】
2009050054.tif 000011
【図１０】
2009050054.tif 000012
【図１１】
2009050054.tif 000013
【図１２】
2009050054.tif 000014
【図１３】
2009050054.tif 000015
【図１４】
2009050054.tif 000016